(57)【特許請求の範囲】
【請求項１】
四角筒柱状の心柱を挟んで突き合わされる二つ割りのうけ型材とはめ型材とからなり、
うけ型材は、心柱の対向する二側外面に固定する取付け片が先端部に形成されコ字状となされた内殻と、この内殻よりも大きいコ字状となされ、前端部に接続端部が形成された外殻と、内殻と外殻との角部に二本ずつ配され、これら両者を連結する足片とからなる断面形状となされ、
はめ型材は、心柱の一側外面に接する支持板と、うけ型材の外殻と同じコ字状となされ、前端部に接続端部が形成された外殻と、支持板と外殻とを連結する足片とからなる断面形状となされ、
これらの両型材の突き合わされる二つの接合端部のうち、一方の接合端部には、凹凸嵌合により両型材が回動するヒンジ状接合部が形成され、他方の接合端部には、接合により雄と雌が相互に掛け止め合う掛け止め接合部が形成されてなることを特徴とする化粧型材。
【請求項２】
四角筒柱状の心柱を挟んで、二つ割りのうけ型材とはめ型材とが突き合わされて構成された化粧柱であって、
うけ型材は、心柱の対向する二側外面に固定する取付け片が先端部に形成されコ字状となされた内殻と、この内殻よりも大きいコ字状となされ、前端部に接続端部が形成された外殻と、内殻と外殻との角部に二本ずつ配され、これら両者を連結する足片とからなる断面形状となされ、
はめ型材は、心柱の一側外面に接する支持板と、うけ型材の外殻と同じコ字状となされ、前端部に接続端部が形成された外殻と、支持板と外殻とを連結する足片とからなる断面形状となされ、
これらの両型材の突き合わされる二つの接合端部のうち、一方の接合端部には、凹凸嵌合により両型材が回動するヒンジ状接合部が形成され、他方の接合端部には、接合により雄と雌が相互に掛け止め合う掛け止め接合部が形成されてなり、
うけ型材の取付け片が心柱の対向する二側外面にはめ入れられて、心柱を抱き持つように固定されるとともに、うけ型材のヒンジ接合部を中心としてはめ型材が回動されてうけ型材の掛け止め接合部とはめ型材の掛け止め接合部とが掛け止め合わされたことを特徴とする化粧柱。
【発明の詳細な説明】
【０００１】
【発明の属する技術分野】
本発明は、化粧型材及び化粧材に関するものである。特に、二つ割り化粧型部材の突き合わせる接合部にがたつきがなく、化粧型部材のみあるいは心柱を挟んでの化粧型部材の接合が緊密となり、丈夫な化粧柱を得ることができる化粧型材及び化粧柱に関するものである。
【０００２】
【従来の技術】
従来の化粧型材は、突き合わされる二つ割り化粧型部材の二つの接合端部におけるいずれの端部にも、接合により雄と雌が相互に掛け止め合う掛け止め接合部が設けられていた。
【０００３】
【発明が解決しようとする課題】
従来の接合により雄と雌が相互に掛け止め合う掛け止め接合部は、これら雄部材と雌部材との間に遊びを設ける必要があり、この掛け止め接合部を掛け止めた際にこれら掛け止め接合部間に遊びによるがたつきが生ずる問題点があった。そのため、二つ割り化粧型部材のみを掛け止め接合部により接合した場合や心柱を挟んで二つ割り化粧型部材を接合した場合は、それぞれの掛け止め接合部にがたつきが生じ、緊密に接合ができず、丈夫な化粧柱が得られないという問題点があった。
【０００４】
本発明は、このような問題点を解決するためになされたもので、二つ割り化粧型部材の突き合わされる二つの接合端部のうち、一方を凹凸嵌合により両部材が回動するヒンジ状接合部となし、他方の接合端部を接合により雄と雌が相互に掛け止め合う掛け止め接合部となし、この掛け止め接合部間に遊びを設ける必要がない化粧型材及び化粧柱を提供することを目的とする。
【０００５】
【課題を解決するための手段】
この目的を達成するために、本発明の請求項１に記載の発明は、四角筒柱状の心柱を挟んで突き合わされる二つ割りのうけ型材とはめ型材とからなり、うけ型材は、心柱の対向する二側外面に固定する取付け片が先端部に形成されコ字状となされた内殻と、この内殻よりも大きいコ字状となされ、前端部に接続端部が形成された外殻と、内殻と外殻との角部に二本ずつ配され、これら両者を連結する足片とからなる断面形状となされ、はめ型材は、心柱の一側外面に接する支持板と、うけ型材の外殻と同じコ字状となされ、前端部に接続端部が形成された外殻と、支持板と外殻とを連結する足片とからなる断面形状となされ、これらの両型材の突き合わされる二つの接合端部のうち、一方の接合端部には、凹凸嵌合により両型材が回動するヒンジ状接合部が形成され、他方の接合端部には、接合により雄と雌が相互に掛け止め合う掛け止め接合部が形成されてなることを特徴とする。
【０００６】
また請求項２記載の発明は、四角筒柱状の心柱を挟んで、二つ割りのうけ型材とはめ型材とが突き合わされて構成された化粧柱であって、うけ型材は、心柱の対向する二側外面に固定する取付け片が先端部に形成されコ字状となされた内殻と、この内殻よりも大きいコ字状となされ、前端部に接続端部が形成された外殻と、内殻と外殻との角部に二本ずつ配され、これら両者を連結する足片とからなる断面形状となされ、はめ型材は、心柱の一側外面に接する支持板と、うけ型材の外殻と同じコ字状となされ、前端部に接続端部が形成された外殻と、支持板と外殻とを連結する足片とからなる断面形状となされ、これらの両型材の突き合わされる二つの接合端部のうち、一方の接合端部には、凹凸嵌合により両型材が回動するヒンジ状接合部が形成され、他方の接合端部には、接合により雄と雌が相互に掛け止め合う掛け止め接合部が形成されてなり、うけ型材の取付け片が心柱の対向する二側外面にはめ入れられて、心柱を抱き持つように固定されるとともに、うけ型材のヒンジ接合部を中心としてはめ型材が回動されてうけ型材の掛け止め接合部とはめ型材の掛け止め接合部とが掛け止め合わされたことを特徴とする。
【０００７】
【発明の実施の形態】
以下に、添付図面に基づき本発明の化粧型材及び化粧柱についての実施態様の一例について詳細に説明する。
【０００８】
図１は、心柱に本発明の化粧型材を固定した化粧柱の正面図である。心柱１は、閉じた断面形状を有する四角筒柱である。二つ割りの化粧型部材２，３は、相互に突き合わせて心柱１の周囲に固定したり、心柱１を使わずに二つ割りの化粧型部材２，３のみを相互に突き合わせて用いることもある。
【０００９】
これら二つ割りの化粧型部材２，３のうち、一方の化粧型部材２をうけ型材となし、他方の化粧型部材３をはめ型材となす。このうけ型材２は、心柱１の閉じた断面形状を有する四角筒柱の対向する二側外面１１，１１に固定する取付け片２２，２２を先端部に形成した断面形状がコ字状をした内殻２１を有する。そして、この内殻２１のコ字状の開口と同方向に開口を配して、この内殻２１をはめ入れる内殻２１より大きい断面形状がコ字状の外殻２３とを有し、この内殻２１と外殻２３とのコ字状の角部に配した二本ずつの足片２４，２４で連結した断面形状になされている。
【００１０】
このうけ型材２は、内殻２１におけるコ字状の先端部に形成した取付け片２２，２２が前記心柱１を抱き持つように心柱１の対向する二側外面１１，１１にはめ入れられる。この取付け片２２，２２は、心柱１の対向する二側外面１１，１１にネジ止めにより、固定されている。この固定方法としては、必ずしもネジ止めにする必要はなく、溶着あるいは接着などの他の方法も考えられる。
【００１１】
また、はめ型材３は、前記うけ型材２の外殻２３と同様なコ字状の断面形状をした外殻３３を有する。このはめ型材３は、外殻３３のコ字状の開口部を補強し、かつ心柱１の四角筒柱のもう一組の対向する外面１２，１２のいずれかに接する支持板３２が外殻３３のコ字状の開口部内に足片３４，３４で連結されている。
【００１２】
この実施形態では、うけ型材２は、内殻２１と外殻２３とを足片２４，２４で連結して内殻２１と外殻２３の間に空間を設けている。また、はめ型材３は、支持板３２と外殻３３とを足片３４，３４で連結して、支持板３２と外殻３３の間に空間を設けている。こうして、うけ型材２とはめ型材３は、ともに量感のある化粧型部材としている。しかし、うけ型材２に内殻２１およびはめ型材３に支持板３２を設けずに、うけ型材２の外殻２３に取付け片２２，２２のみを付設してうけ型材２とはめ型材３は、外殻２３と外殻３３のみにすることもでき、すらりとした化粧型部材とすることができる。
【００１３】
これらうけ型材２とはめ型材３とが突き合わされるとき、この両型材２，３の外殻２３，３３のそれぞれコ字状の前端が突き合わされるようにされている。これらうけ型材２とはめ型材３とが突き合わされる二つの接合端部４，４０と５，５０のうち、一方の接合端部４，４０では、うけ型材２の接合端部４に、即ち外殻２３の前端部に円弧状をした凹部４１が形成されている。また、はめ型材３の接合端部４０に、即ち外殻３３の前端部に前記円弧状をした凹部４１にはまり込む円弧状をした凸部４２が形成されている。
【００１４】
また、他方の接合端部５，５０では、うけ型材２の接合端部５に、即ち外殻２３の前端部に接合により雄と雌が相互に掛け止め合う雌部材５１が形成されている。この雌部材５１は、外殻２３の前端部に高さが低くなるよう形成された垂直面５２と、この垂直面５２の下端から前方に向けて水平に形成された凹み部５３と、この凹み部５３の前端に形成された高さが高くなる、前記垂直面５２の半分程の垂直面５４と、この垂直面５４の上端から前端に行く程高さが低くなる傾斜面５５とで構成されている。そして、このはめ型材３の接合端部５０、即ち外殻３３の前端部に前記雌部材５１にはまり込む雄部材５６が形成されている。この雄部材５６は、外殻３３の前端部に高さが低くなるよう形成された垂直面５７と、この垂直面５７の下端より前端に行く程高さが高くなるよう形成された傾斜面５８とで形成された突出部５９で構成されている。
【００１５】
うけ型材２とはめ型材３を化粧型部材として使用するときには、うけ型材２の取付け片２２，２２を用いて心柱１を抱き持つように固定したり、あるいは心柱１を使わずに、うけ型材２にはめ型材３を直接固定する。これら固定に当たっては、うけ型材２における一方の接合端部４に設けた円弧状をした凹部４１に、はめ型材３の一方の接合端部４０に設けた円弧状をした凸部４２をはめ込む。こうすることにより、この相互にはまり合う円弧状をした凹部４１と凸部４２は、ヒンジ状に回動し、この凹凸嵌合により両型材２，３が回動するヒンジ状接合部Ｃとされる。
【００１６】
次に、図３の矢印方向にはめ型材３をうけ型材２に対してヒンジ状接合部Ｃを中心としてヒンジ状に回動させる。すると、前記したはめ型材３の他方の接合端部５０の雄部材５６がうけ型材２の他方の接合端部５の雌部材５１に接合され、突出部５９と凹み部５３は掛け止め合わされる。この掛け止めに当たっては、他方の接合端部５におけるうけ型材２の外殻２３の前端に形成した前端に行く程高さが低くなる傾斜面５５に、他方の接合端部５０におけるはめ型材３の外殻３３の前端部に設けた前端に行く程高さが高くなる傾斜面５８が案内される。そして、凹み部５３の前端の垂直面５４に突出部５９の後端の垂直面５７が掛け止められる。この凹み部５１と突出部５４とを接合により雄と雌が相互に掛け止め合う掛け止め接合部Ｄとされている。
【００１７】
このように一方の接合端部４，４０において両型材２，３をヒンジ状接合部Ｃを中心として回動させ、他方の接合端部５，５０の掛け止め接合部Ｄにおける凹み部５３と突出部５９とを雄部材５６と雌部材５１としてが掛かり合うようにさせる。このことにより、この凹み部５３と突出部５９間に遊びを介在しなくても掛け止めることができ、掛け止め接合部Ｄが緊密に接合できる。
【００１８】
本実施形態では、突き合わされるうけ型材２とはめ型材３の一方の接合端部４，４０には、円弧状をした凹部４１と円弧状をした凸部４２が形成されている。そして、これら凹部４１に凸部４２をはめ合わせ凹凸嵌合により両型材２，３が回動するヒンジ接合部Ｃとされているが、必ずしもこの構成にする必要はなく、ヒンジとして作動するものであればどのような構造のものであってもよい。
【００１９】
また、本実施形態では、雌部材５１として、うけ型材２の接合端部５に凹み部５３と、この凹み部５３の後端に高さが高くなる垂直面５２と、凹み部５３の前端に高さが高くなる垂直面５４と、この垂直面５４の上端から前端に行く程高さが低くなる傾斜面５４が形成されている。そして、雄部材５６として、はめ型材３の他方の接合端部５０に高さが低くなる垂直面５７と、この垂直面５７の下端より前端に行く程高さが高くなる傾斜面５８とにより突出部５９が形成されている。そして、これら雌部材５１と雄部材５６とを接合により雄と雌が掛かり合う掛け止め接合部Ｄとされているが、この雌部材５１と雄部材５６との構成は、本実施形態に限定されるものではなく、うけ型材２、はめ型材３の他方の接合端部５，５０が接合により雄と雌で掛け止めされるものであれば、どのような構造のものであってもよい。
【００２０】
この閉じた断面形状を有する四角筒柱の心柱１に固定されたうけ型材２とはめ型材３における上端には、うけ型材２とはめ型材３との角部を除く側面に設けた凸部２５，３５と凹部２６，３６にはめ込む上端キャップ用プレート６１を介して上端キャップ６がはめ込まれている。そして、上端キャップ用プレート６１は、うけ型材２とはめ型材３の前記側面にネジ止めされ、上端キャップ６は前記心柱１の上端部にネジ止めされている。また、うけ型材２とはめ型材３の下端は、前記心柱１の下端部にネジ止めされた柱固定アングル７，７により支持されている。
【００２１】
本発明では、四角筒柱の心柱１への化粧型材及び化粧柱に関しての実施形態について述べたが、心柱１を使用せずにうけ型材２とはめ型材３とを直接固定することもできる。また、本発明は、円柱状あるいは四角筒柱以外の角柱にも適用が可能である。さらに、本実施形態では、うけ型材２とはめ型材３における一方の接合端部４，４０にヒンジ接合部Ｃを設け、うけ型材２とはめ型材３における他方の接合端部５，５０に掛け止め接合部Ｄを設けたが、この接合端部５，５０にヒンジ状係合部Ｃを設け、接合端部４，４０に掛け止め接合部Ｄを設けてもよい。
【００２２】
【発明の効果】
本発明によれば、うけ型材とはめ型材との二つ割り化粧型部材の接合端部の一方に凹凸嵌合により両型材が回動するヒンジ状接合部を設け、他方に接合により雄と雌が相互に掛け止め合う掛け止め接合部を設けた。よって、うけ型材とはめ型材との接合端部の一方に設けたヒンジ状接合部を中心として回動し、両型材を手早く、しかも確実に接合させることができる。また、このようなヒンジ状接合部により両型材を回動させて接合させることができるので、位置合わせが確実となり、両型材の接合端部の他方に設けた掛け止め接合部間には遊びを設ける必要がない。そのため、うけ型材とはめ型材との化粧型材のみ、或いは心柱を挟んでのうけ型材とはめ型材との化粧型材の固定にがたつきがなくなり、この固定が緊密に行われ、化粧柱を丈夫にすることができる。
【図面の簡単な説明】
【図１】心柱に本発明の化粧型材を固定した化粧柱の正面図である。
【図２】図１のＡ−Ａ線拡大断面図である。
【図３】うけ型材とはめ型材とを一方の接合端部のヒンジ状接合部を中心にして回動するときの図１のＡ−Ａ線と同じ位置で切断した拡大断面図である。
【図４】図１のＢ−Ｂ線拡大断面図である。
【符号の説明】
１  心柱
１１，１２  外面
２  一方の二つ割り化粧型部材（うけ型材）
２２  取付け片
３  他方の二つ割り化粧型部材（はめ型材）
４，４０  一方の接合端部
５，５０  他方の接合端部
５１  雌部材
５６  雄部材
Ｃ  ヒンジ状接合部
Ｄ  掛け止め接合部
【図１】
0003579577.tif 000002
【図２】
0003579577.tif 000003
【図３】
0003579577.tif 000004
【図４】
0003579577.tif 000005